(57)【要約】【課題】  メモ帳の組立が容易であり、メモ帳の上に書類等が積み重なった場合でも、表表紙が破損することが無く、長期に渡り表表紙に描かれた文字や絵を効果的に提示可能なメモ帳を提供すること。【解決手段】  多数枚積層された用紙４と、該用紙の一側部に取付けられた背表紙２と、該背表紙の上下に連接された表表紙１及び裏表紙３からなるメモ帳において、該表表紙１に該背表紙と平行に一つの折線５を設け、該折線の位置で表表紙を折畳んだ状態を保持するため、係止部１２，１３及び該係止部に挿入係止される舌片ａ，ｂを該表表紙に形成したことを特徴とする。【選択図】図１
2006082466.tif 000002
【特許請求の範囲】
【請求項１】
多数枚積層された用紙と、該用紙の一側部に取付けられた背表紙と、該背表紙の上下に連接された表表紙及び裏表紙からなるメモ帳において、
該表表紙に該背表紙と平行に一つの折線を設け、
該折線の位置で表表紙を折畳んだ状態を保持するため、係止部及び該係止部に挿入係止される舌片を該表表紙に形成したことを特徴とするメモ帳。
【請求項２】
請求項１に記載のメモ帳において、該折線より背表紙の反対側に位置する該表表紙には、文字又は絵が描かれていることを特徴とするメモ帳。
【請求項３】
請求項１に記載のメモ帳において、該係止部は、該折線より背表紙側に位置する該表表紙に、背表紙と平行でかつ表表紙の端部から入る切込みで形成され、該舌片は、該折線より背表紙の反対側に位置する該表表紙に、背表紙と垂直でかつ表表紙の端部から入る切込みで形成されることを特徴とするメモ帳。
【請求項４】
請求項１に記載のメモ帳において、該係止部は、該折線より背表紙側に位置する該表表紙に、背表紙と垂直に入る切込みで形成され、該舌片は、該折線より背表紙の反対側に位置する該表表紙に、背表紙と平行でかつ表表紙の端部から入る切込みで形成されることを特徴とするメモ帳。
【請求項５】
請求項１に記載のメモ帳において、該係止部は、該折線より背表紙側に位置する該表表紙に、背表紙と平行でかつ表表紙の端部から離れた位置から入る切込みで形成され、該舌片は、該折線より背表紙の反対側に位置する該表表紙に、背表紙と垂直でかつ表表紙の端部から入る切込みで形成されることを特徴とするメモ帳。
【発明の詳細な説明】
【技術分野】
【０００１】
本発明は、メモ帳に関し、特に、表表紙に描かれた文字・絵などを効果的に提示するメモ帳に関する。
【背景技術】
【０００２】
従来、メモ用紙を冊子状に形成したメモ帳は、事務用品として日常的に利用されている。しかも、メモ帳の表表紙などに細工を施し、広告機能や筆記用具立て機能、さらには薄性小片物の差込み機能など、多様な機能を付加したメモ帳も提案されている。
【０００３】
以下の特許文献１においては、広告機能の向上を図るため、複数のメモ用紙を冊子状に形成したメモ帳の表紙カバーの表裏面の少なくとも一面に広告内容を表示する広告部を設けるとともに、広告部の一部を表紙カバーから離間させる切抜き線を設け、表紙カバーを所定状態に収容させた際に表紙カバーから切抜き線により離間した広告部の一部を起立させる構成が提案されている。
【特許文献１】特開平８−９０９５５号公報
【０００４】
また、以下の特許文献２においては、筆記用具立て付きメモ帳が提案されている。具体的な構成としては、多数枚積層されたメモ帳と、このメモ帳の一側部に取り付けられた背表紙と、この背表紙の上下に連接された表表紙及び裏表紙とから成り、前記表表紙に背表紙に平行に第１折線、第２折線、第３折線、及び第４折線を設け、前記背表紙と第１折線の間に切込みを入れることにより係止部を設け、前記表表紙の第１折線と第２折線との間に筆記用具挿入用の挿入孔を設け、さらに前記表紙の先端に切込みを入れることにより前記係止部へ挿入係止させる舌片を設けるものである。
【特許文献２】特開平５−３３０２８０号公報
【０００５】
さらには、以下の特許文献３においては、薄性小片物の差込み構造を有するメモ帳が提案されている。具体的には、表紙に綴辺と平行な少なくとも３本の折目を設け、折目に沿って折曲げられた表紙の重なり部分の開放口の少なくとも一つが上方を向くように折曲げ形状を保形する固定具を備えるものである。
【特許文献３】登録実用新案公報第３０２７７７５号
【０００６】
しかしながら、メモ帳の表表紙に描かれた文字・図形を効果的に提示することを主な目的とした場合には、上述したメモ帳は、その構成が複雑過ぎ、利用者にとって組立に係る作業が煩雑なものとなる。しかも、これらのメモ帳はいずれも、表表紙部分が立体的に形成されるため、メモ帳の上に、書類等が積み重なると形状が崩れ易く、メモ帳を使い切るまでの間に、表表紙部分が汚れたり破損する結果となり、表表紙の文字・図形を効果的に提示することができないという欠点を有していた。
【発明の開示】
【発明が解決しようとする課題】
【０００７】
本発明が解決する課題は、上述した問題を解決し、メモ帳の組立が容易であり、メモ帳の上に書類等が積み重なった場合でも、表表紙が破損することが無く、長期に渡り表表紙に描かれた文字や絵を効果的に提示可能なメモ帳を提供することである。
【課題を解決するための手段】
【０００８】
請求項１に係る発明は、多数枚積層された用紙と、該用紙の一側部に取付けられた背表紙と、該背表紙の上下に連接された表表紙及び裏表紙からなるメモ帳において、該表表紙に該背表紙と平行に一つの折線を設け、該折線の位置で表表紙を折畳んだ状態を保持するため、係止部及び該係止部に挿入係止される舌片を該表表紙に形成したことを特徴とする。
【０００９】
また、請求項２に係る発明は、請求項１に記載のメモ帳において、該折線より背表紙の反対側に位置する該表表紙には、文字又は絵が描かれていることを特徴とする。
【００１０】
また、請求項３に係る発明は、請求項１に記載のメモ帳において、該係止部は、該折線より背表紙側に位置する該表表紙に、背表紙と平行でかつ表表紙の端部から入る切込みで形成され、該舌片は、該折線より背表紙の反対側に位置する該表表紙に、背表紙と垂直でかつ表表紙の端部から入る切込みで形成されることを特徴とする。
【００１１】
また、請求項４に係る発明では、請求項１に記載のメモ帳において、該係止部は、該折線より背表紙側に位置する該表表紙に、背表紙と垂直に入る切込みで形成され、該舌片は、該折線より背表紙の反対側に位置する該表表紙に、背表紙と平行でかつ表表紙の端部から入る切込みで形成されることを特徴とする。
【００１２】
また、請求項５に係る発明では、請求項１に記載のメモ帳において、該係止部は、該折線より背表紙側に位置する該表表紙に、背表紙と平行でかつ表表紙の端部から離れた位置から入る切込みで形成され、該舌片は、該折線より背表紙の反対側に位置する該表表紙に、背表紙と垂直でかつ表表紙の端部から入る切込みで形成されることを特徴とする。
【発明の効果】
【００１３】
請求項１に係る発明により、表表紙に背表紙と平行に一つの折線を設け、該折線の位置で表表紙を折畳んだ状態を保持する構成であるため、メモ帳の組立が容易であり、しかも、メモ帳の上に書類等が積み重なった場合でも、表表紙と背表紙との連接部で折畳んだ表表紙がメモ用紙側またはメモ帳外側に折れ曲がるため、表表紙の形状が崩れることはない。
【００１４】
請求項２に係る発明により、折線より背表紙の反対側に位置する表表紙には、文字又は絵が描かれているため、利用者がメモ用紙を使用する際には、折畳んだ表表紙が上向きに起立もしくはメモ帳の外側に折れ曲がった状態となっているため、描かれた文字や絵が常に利用者の視界内に位置することとなり、文字や絵の効果的な提示が可能となる。
【００１５】
請求項３に係る発明により、係止部は、折線より背表紙側に位置する表表紙に、背表紙と平行でかつ表表紙の端部から入る切込みで形成され、舌片は、折線より背表紙の反対側に位置する表表紙に、背表紙と垂直でかつ表表紙の端部から入る切込みで形成されているため、製造者並びに利用者にとって、容易に係止部及び舌片の形成が可能であり、表表紙の組立作業を極めて円滑に行うことが可能となる。特に、全ての切込みが表表紙の端部から始まっているため、厚紙を表表紙に使用した際でも、利用者が極めて容易に係止部及び舌片を形成でき、しかも舌片の係止部への挿入係止も円滑に行うことができる。また、舌片を表表紙の先端の２つの角部に形成することで、表表紙の折畳んだ状態をより安定して保持することが可能となる。
【００１６】
請求項４に係る発明により、係止部は、折線より背表紙側に位置する表表紙に、背表紙と垂直に入る切込みで形成され、舌片は、折線より背表紙の反対側に位置する表表紙に、背表紙と平行でかつ表表紙の端部から入る切込みで形成されるため、製造者並びに利用者にとって、容易に係止部及び舌片の形成が可能であり、表表紙の組立作業を極めて円滑に行うことが可能となる。
【００１７】
請求項５に係る発明により、係止部は、折線より背表紙側に位置する表表紙に、背表紙と平行でかつ表表紙の端部から離れた位置から入る切込みで形成され、舌片は、折線より背表紙の反対側に位置する表表紙に、背表紙と垂直でかつ表表紙の端部から入る切込みで形成されるため、製造者並びに利用者にとって、容易に係止部及び舌片の形成が可能であり、表表紙の組立作業を極めて円滑に行うことが可能となる。
【発明を実施するための最良の形態】
【００１８】
本発明に係るメモ帳について、以下に詳細に説明する。
図１は、本発明に係るメモ帳の第１実施例を示す斜視図である。
メモ用紙４は積層され、該用紙４の一側部は接着剤を介して背表紙２に取付けられている。他方、背表紙２を含む表紙は、表表紙１，背表紙２及び裏表紙３からなり、通常は一枚の厚紙から構成されている。表紙は、表表紙１，背表紙２及び裏表紙３を別々の部品で構成し、面テープなどの接着手段により互いに連接することも可能である。
【００１９】
表表紙１の略中央には、表表紙１を２つに折畳むことができるよう、背表紙と平行な折線５が形成されている。また、表表紙１の該折線より先端側（背表紙２の反対側）には、文字や絵６が描かれており、利用者がメモ用紙を使用する際には、常に利用者の視界内に文字・絵６が位置するよう構成されている。つまり、表表紙１を折畳んだ場合、図１（ｂ）のように、表表紙１が上向きに起立しているか、もしくはメモ帳の外側に折れ曲がった状態となっているため、文字・絵６が常に利用者側を向くこととなる。
【００２０】
次に、表表紙１を折畳んだ状態に保持する方法について説明する。図１（ａ）のように、折線５より先端側に位置する表表紙１に、背表紙２と垂直でかつ表表紙の端部から入る切込み１０，１１を設け、舌片ａ，ｂを形成する。また、折線５より背表紙側に位置する表表紙１に、背表紙２と平行でかつ表表紙の端部から入る切込み１２，１３を設け、舌片ａ，ｂに対応する係止部を形成する。上述した切込み１０〜１３は全て表表紙の端部から切り込まれているため、組立の際に該切込みを開放する作業を円滑に行うことが可能となり、さらには、利用者が極めて容易に舌片の係止部への挿入係止を行うことができる。
【００２１】
表表紙１の組立て工程は、図１（ｂ）のように、折線５で表表紙１を山折りに折畳み、舌片ａ，ｂをそれぞれ切込み１２，１３が形成する係止部に挿入係止することで完了し、極めて容易に組立てが可能となる。
【００２２】
また、本発明に係るメモ用紙の第２実施例を、図２に示す。なお、図１と同一の部材については、同一の符号で記載されている。
図２（ａ）のように、折線５より先端側に位置する表表紙１に、背表紙２と平行かつ表表紙の端部から入る切込み２０，２１を設け、舌片ｃ，ｄを形成する。また、折線５より背表紙側に位置する表表紙１に、背表紙２に垂直な切込み２２，２３を設け、舌片ｃ，ｄに対応する係止部を形成する。
【００２３】
次に、図２（ｂ）のように、折線５で表表紙１を山折りに折畳み、舌片ｃ，ｄをそれぞれ切込み２２，２３が形成する係止部に挿入係止することで組立が完了し、極めて容易に組立てを行うことが可能となる。
【００２４】
さらに、本発明に係るメモ用紙の第３実施例を、図３に示す。なお、図２と同様に図１と同一の部材については、同一の符号で記載されている。
図３（ａ）のように、折線５より先端側に位置する表表紙１に、背表紙２と垂直でかつ表表紙の端部から入る切込み３０，３１を設け、舌片ｅを形成する。また、折線５より背表紙側に位置する表表紙１に、背表紙２と平行な切込み３２を設け、舌片ｅに対応する係止部を形成する。
【００２５】
次に、図３（ｂ）のように、折線５で表表紙１を山折りに折畳み、舌片ｅを切込み３２が形成する係止部に挿入係止することで組立が完了し、極めて容易に組立てを行うことが可能となる。
【００２６】
上述した本発明に係るメモ帳は、図１（ｂ），図２（ｂ），及び図３（ｂ）のように組立が完了した後、仮に、メモ帳の上に書類等が積み重なった場合であっても、折畳んだ表表紙１は、メモ用紙４側に倒れ込むか、メモ帳の外側に倒れ込むため、表表紙１が変形したり破損することが抑制される。しかも、メモ用紙４側に倒れ込んだ場合でも、表表紙１が折畳まれているため、メモ用紙の半分程度の面積が露出しており、メモ帳を利用する際に必ず表表紙１を捲る必要がない。さらに、利用者がメモ用紙全体を使用する場合には、折畳んだ表表紙１が起立させられるため、文字・絵６が利用者の目に触れることとなり、文字・絵６を効果的に利用者へ提示することとなる。
【産業上の利用可能性】
【００２７】
以上、説明したように、本発明により、メモ帳の組立が容易であり、メモ帳の上に書類等が積み重なった場合でも、表表紙が破損することが無く、長期に渡り表表紙に描かれた文字や絵を効果的に提示可能なメモ帳を提供することが可能となる。
【図面の簡単な説明】
【００２８】
【図１】本発明に係るメモ帳の第１実施例を示す図である。
【図２】本発明に係るメモ帳の第２実施例を示す図である。
【図３】本発明に係るメモ帳の第３実施例を示す図である。
【符号の説明】
【００２９】
１  表表紙
２  背表紙
３  裏表紙
４  メモ用紙
５  折線
６  文字・絵
１０,１１,１２，１３,２０，２１，２２，２３，３０，３１，３２  切込み
ａ，ｂ，ｃ，ｄ，ｅ  舌片
【図１】
2006082466.tif 000003
【図２】
2006082466.tif 000004
【図３】
2006082466.tif 000005